(57)【特許請求の範囲】
【請求項１】
液透過性のトップシートと、バックシートと、これら両シート間に介在する吸収体と、前記吸収体および前記トップシートの間に配置されたセカンドシートとを含み、前後の長手方向が前ウエスト域と、後ウエスト域と、これらの領域間に位置するクロッチ域とで構成されており、吸収性ポリマーが２枚の液透過性シートに挟持された吸収性シートが前記トップシートと前記セカンドシートとの間に存在する吸収性物品であって、
前記セカンドシートは、前記トップシートよりも液拡散性が高く、
前記トップシート、前記バックシート、前記吸収体および前記セカンドシートは、前記前ウエスト域、前記クロッチ域および前記後ウエスト域にわたって配置され、
前記吸収性シートは、前記クロッチ域の長手方向の中央から前記後ウエスト域にわたる領域における、少なくとも前記後ウエスト域の一部の領域に配置される吸収性物品。
【請求項２】
前記吸収性シートは、前記２枚の液透過性シートに前記吸収性ポリマーが挟持されている吸収性ポリマー存在領域と、前記２枚の液透過性シートに前記吸収性ポリマーが挟持されていない吸収性ポリマー非存在領域とを有する請求項１に記載の吸収性物品。
【請求項３】
前記吸収性ポリマー存在領域における前記幅方向の中央の部分は、前記吸収性ポリマー存在領域における、前記幅方向の中央の部分に対して幅方向外にあるそれぞれの部分に比べて、後側に位置している請求項２に記載の吸収性物品。
【請求項４】
前記吸収性シートの前記液透過性シートの前記吸収性ポリマーを挟持するそれぞれの面に、前記吸収性物品の長手方向に延び、前記吸収性物品の幅方向に複数並ぶ接着部が設けられ、
前記吸収性シートにおける前記セカンドシート側の液透過性シートに設けられた接着部の隣接する接着部同士の間の接着部間距離は、前記吸収性シートにおける前記トップシート側の液透過性シートに設けられた接着部の接着部間距離に比べて小さい請求項１〜３のいずれか１項に記載の吸収性物品。
【請求項５】
前記吸収体は、前記クロッチ域の少なくとも一部の領域に、長手方向に延びる貫通部または溝部を有する請求項１〜４のいずれか１項に記載の吸収性物品。
【請求項６】
前記吸収体の前記貫通部または前記溝部は、前記吸収体の前記吸収性シートが配置されている領域内まで、長手方向に延びる請求項５に記載の吸収性物品。
【請求項７】
前記吸収性シートにおける前記吸収性ポリマーを挟持する２枚の液透過性シートのうちの前記セカンドシート側の液透過性シートの浸透性が、前記セカンドシートの浸透性よりも小さい請求項１〜６のいずれか１項に記載の吸収性物品。
【請求項８】
前記吸収性物品の幅方向両側部には、長手方向に延びる漏れ防止カフが配置され、
前記漏れ防止カフは、前記吸収性物品の幅方向側部と接合している基端部と、接合していない自由端部とを有し、
前記自由端部は、前記基端部に対して、前記吸収性物品の幅方向の内側にあり、
前記自由端部の近傍には、長手方向に延びるとともに伸長状態で取り付けられた弾性体が設けられ、
前記漏れ防止カフを伸長させた状態において、前記吸収性シートのそれぞれの幅方向縁部は、前記漏れ防止カフのそれぞれの自由端部よりも幅方向外側にある請求項１〜７のいずれか１項に記載の吸収性物品。
【請求項９】
前記吸収性シートは、幅方向の中央の領域と、該幅方向の中央の領域の両側にある幅方向の外側の領域とを有し、
前記幅方向の外側の領域が、前記幅方向の中央の領域よりも前記前ウエスト域側に延出している請求項１〜８のいずれか１項に記載の吸収性物品。
【発明の詳細な説明】
【技術分野】
【０００１】
本発明は、吸収性物品に関し、とくに尿取りパッド、使い捨ておむつ、排泄トレーニングパンツ、失禁ブリーフなどの吸収性物品に関する。
【背景技術】
【０００２】
吸収体と、吸収体の表面を被覆するように配置され、少なくとも一部が液透過性材料からなるトップシートと、吸収体の裏面に配置され、液不透過性材料からなるバックシートとを備え、吸収体は、少なくとも着用者の排泄部位に対応する領域（排泄領域）に吸収体の表面から裏面に向けて孔部が形成されたものであり、吸収体の表面にはトップシートが配置されるとともに、吸収体の裏面には、少なくとも排泄領域における孔部の開口部を覆うように拡散シートが配置されており、拡散シートよりも上部で、かつ排泄領域よりも着用時における後方の領域に撥水性シートが配置されている吸収性物品が従来技術として知られている（たとえば、特許文献１）。
【０００３】
この吸収性物品は、排泄液の吸収性に優れたものであるとともに、排泄液の逆戻りを有効に防止することができる。すなわち、この吸収性物品は、排泄液を吸収体のトップシート側の面（表面）における排泄部位にて吸収させるとともに、その排泄液の一部を吸収体の孔部を通過させて拡散シートに浸透させることにより、この拡散シートを経由させて吸収体の裏面から排泄液を吸収させることができる。このように、排泄液をより広い領域で吸収させることができるため、排泄液の吸収速度が高く、吸収性に優れている。また、この吸収体には、拡散シートよりも上部で、かつ排泄領域よりも着用時における後方の領域に撥水性シートが配置されているため、着用時に体圧がかかりやすく、排泄液が逆戻りしやすい臀部の領域においては、吸収体の表面に排泄液がしみ出すことを制限することができ、排泄液の逆戻りを有効に防止することができる。
【先行技術文献】
【特許文献】
【０００４】
【特許文献１】特開２００９−２８１８６号公報
【発明の概要】
【発明が解決しようとする課題】
【０００５】
しかしながら、特許文献１に記載されているような従来の吸収性物品では、着用者の排尿口が吸収性物品に接していない場合、排泄された尿が着用者の肌を伝わり拡散し、その結果、後部の撥水性シート上に尿が拡散し、肌が尿で濡れた状態のままになるという問題が生じる場合がある。
【課題を解決するための手段】
【０００６】
本発明は、上記課題を解決するため、以下の構成を採用した。
すなわち、本発明は、液透過性のトップシートと、バックシートと、これら両シート間に介在する吸収体と、吸収体およびトップシートの間に配置されたセカンドシートとを含み、前後の長手方向が前ウエスト域と、後ウエスト域と、これらの領域間に位置するクロッチ域とで構成されており、吸収性ポリマーが２枚の液透過性シートに挟持された吸収性シートがトップシートとセカンドシートとの間に存在する吸収性物品であって、セカンドシートは、トップシートよりも液拡散性が高く、トップシート、バックシート、吸収体およびセカンドシートは、前ウエスト域、クロッチ域および後ウエスト域にわたって配置され、吸収性シートは、クロッチ域の長手方向の中央から後ウエスト域にわたる領域における、少なくとも後ウエスト域の一部の領域に配置される。
【発明の効果】
【０００７】
本発明によれば、排泄された尿が着用者の肌を伝わり拡散する場合であっても臀部の肌が尿で濡れた状態のままにならない。すなわち、着用者の肌をさらさらな状態に保つことができる。
【図面の簡単な説明】
【０００８】
【図１】図１は、着用者の肌側から見たときの本発明の一実施形態の吸収性物品の平面図である。
【図２】図２は、図１のＡ−Ａ断面の概略図である。
【図３】図３は、本発明の一実施形態の吸収性物品の分解図である。
【図４】図４は、本発明の一実施形態の吸収性物品の着用状態を示す図である。
【図５】図５は、着用者の排尿口が吸収性物品に接している場合の、本発明の一実施形態における吸収性物品の排泄された尿の吸収を説明するための図である。
【図６】図６は、着用者の排尿口が吸収性物品に接していない場合の、本発明の一実施形態における吸収性物品の排泄された尿の吸収を説明するための図である。
【図７】図７は、液透過性シートの浸透性の評価方法を説明するための図である。
【図８】図８は、本発明の一実施形態の吸収性物品の変形例を示す図である。
【発明を実施するための形態】
【０００９】
以下、図を参照して本発明の一実施形態の吸収性物品を説明する。本発明の一実施形態の吸収性物品は、尿取りパッドである。
図１は、着用者の肌側から見たときの本発明の一実施形態の吸収性物品の平面図であり、図２は、図１のＡ−Ａ断面の概略図であり、図３は、本発明の一実施形態の吸収性物品の分解図であり、図４は、本発明の一実施形態の吸収性物品の着用状態を示した図である。ここで、図に示されたｘ軸方向を吸収性物品１の幅方向とし、ｙ軸方向を吸収性物品１の長手方向とする。また、ｘｙ方向を吸収性物品１の平面方向とする。
【００１０】
図１に示すように、吸収性物品１は、前ウエスト域１１と、後ウエスト域１２と、前ウエスト域１１および後ウエスト域１２の間のクロッチ域１３とに分けられる。ここで、吸収性物品１の前ウエスト域１１側を前側とし、吸収性物品１の後ウエスト域１２側を後側とする。図４に示すように、クロッチ域１３は、吸収性物品の着用時に着用者１００の股部にあてがわれる領域であり、前ウエスト域１１は、クロッチ域１３に対して前側の領域であり、後ウエスト域１２は、クロッチ域１３に対して後側の領域である。クロッチ域１３では、吸収性物品１の幅方向の長さが小さくなるように側部１４が屈曲または湾曲している。ここで、股部とは、着用者が直立したとき、着用者の両大腿部に挟まれる股の領域である。したがって、前ウエスト域１１は着用者の腹側を覆い、後ウエスト域１２は、着用者の臀部を覆うことになる。すなわち、クロッチ域１３は着用者の股部にあてがう領域であり、前ウエスト域１１は、着用者の股部に対して前側を覆う領域であり、後ウエスト域１２は、着用者の股部に対して後側を覆う領域である。
【００１１】
本発明の一実施形態における吸収性物品１は、透液性のトップシート２０と、トップシート２０と対向する位置に設けられたバックシート３０と、トップシート２０およびバックシート３０の間に設けられた吸収体４０とを含む。トップシート２０と吸収体４０との間には、セカンドシート５０が配置され、トップシート２０とセカンドシート５０との間には吸収性シート６０が配置される。吸収性物品１の幅方向両側には、漏れ防止カフ７０が配置されている。
【００１２】
トップシート２０は、排泄された尿を透過する液透過性のシートであり、着用者が吸収性物品１を装着したときに、着用者の肌と接触する表面に設けられる。したがって、トップシート２０は、肌触りを良好にする機能を有していることが好ましい。たとえば、トップシート２０は、細い繊維で作製され、表面が平滑で、変形に対して自由度が大きいことが必要である。トップシート２０には、一般に不織布が用いられる。トップシート２０に用いられる不織布には、スパンボンド不織布、ポイントボンド不織布、エアスルー不織布などが挙げられる。トップシート２０は、前ウエスト域１１、クロッチ域１３および後ウエスト域１２にわたって配置されている。
【００１３】
バックシート３０は、尿を透過しない液不透過性シートであり、排泄された尿が外に漏れないようにするために設けられている。バックシート３０の材料は、排泄された尿を透過しない材料であれば、とくに限定されない。たとえば、防水処理を施した不織布、ポリエチレンなどから構成されるプラスチックフィルム、不織布とプラスチックフィルムとの複合材料などをバックシート３０に用いることができる。また、水蒸気がバックシート３０を通って発散することによって着用時の吸収性物品１の蒸れを防止するために、バックシート３０に通気性フィルムを使用してもよい。なお、おむつの内側に用いる尿取りパッドなどの場合は、バックシートは液不透過性でなくてもよい。バックシート３０は、前ウエスト域１１、クロッチ域１３および後ウエスト域１２にわたって配置されている。
【００１４】
吸収体４０は排泄された尿を吸収し保持する機能を有する。吸収体４０には、たとえば、フラッフ状パルプやエアレイド不織布と高吸収性ポリマー（Super Absorbent Polymer：ＳＡＰ）とからなる吸収体が挙げられる。また、吸収体４０には、フラッフ状パルプの代わりに、たとえば、化学パルプ、セルロース繊維、レーヨン、アセテートなどの人工セルロース繊維、ポリオレフィン、ポリエステル、ポリアミドなどの合成繊維（複合繊維も含む）を用いた繊維ネットワーク吸収体、ポリウレタン等のフォーム材を用いた発泡吸収体などが挙げられる。
【００１５】
吸収体４０は、バックシート３０の略相似形であり、吸収体４０の大きさはバックシート３０に比べて小さい。吸収体４０は、前ウエスト域１１、クロッチ域１３および後ウエスト域１２にわたって配置されている。吸収体４０は、貫通部４１と圧搾溝４２とを有する。貫通部４１は、吸収体４０を厚さ方向に貫通する穴であり、貫通部４１は、吸収体４０の幅方向の中央の位置で、前ウエスト域１１からクロッチ域１３にかけて長さ方向に延びている。しかし、貫通部４１は、吸収性シート６０と厚さ方向で重なる位置までは長手方向に延びてない。すなわち、吸収性物品１の厚さ方向に貫通部４１を投影した場合の貫通部４１の投影像は、吸収性物品１の厚さ方向に吸収性シート６０を投影した場合の吸収性シート６１の投影像と重ならない。圧搾溝４２は、貫通部４１の両脇に並べて配置され、前ウエスト域１１からクロッチ域１３にかけて長さ方向に延び、吸収体４０のトップシート側の面から凹んでいる溝である。圧搾溝４２の長手方向の長さは、貫通部４１の長手方向の長さに比べて短い。吸収体４０のトップシート２０側の面からバックシート３０側の面へ吸収体４０を加熱・加圧することによって、圧搾溝４２は形成される。吸収体４０は、ホットメルト接着剤（Hot Melt Adhesive：ＨＭＡ）８１によりバックシート３０と接着している。吸収体４０は、バックシート３０の略相似形にせず、矩形、長円形などに換えることもできる。
【００１６】
セカンドシート５０は、トップシート２０の一部の領域から浸透してきた尿を平面方向に拡散させるためのシートである。これにより、吸収体４０は、トップシート２０の一部の領域から浸透してきた尿を、吸収体４０のトップシート２０側の面の広い領域で吸収することができる。セカンドシート５０は、前ウエスト域１１、クロッチ域１３および後ウエスト域１２にわたって配置されている。
【００１７】
セカンドシート５０には、ティッシュ、ポイントボンド不織布、レーヨン入りのスパンレース不織布など、液拡散性の高い不織布が好ましくは用いられる。とくにセカンドシート５０の液拡散性は、トップシート２０の液拡散性よりも高いことが好ましい。たとえば、トップシート２０にスパンボンド不織布を用いた場合、スパンボンド不織布よりも液拡散性の高いティッシュ、ポイントボンド不織布、スパンレース不織布（とくにレーヨン入り）またはそれらを組み合わせたものをセカンドシート５０に用いることが好ましい。
【００１８】
シートの液拡散性は、たとえば、ＪＩＳ  Ｐ８１４１「紙及び板紙−吸水度試験方法−クレム法」に準拠して測定したシートのクレム吸水度で評価することができる。クレム吸水度とは、試験片の下端を鉛直に水の中に浸漬し、毛管現象によって、１０分間に水が上昇した高さであり、シートのクレム吸水度が高いほど、シートの拡散性は高い。たとえば、目付が１５ｇ／ｍ2のティッシュでは、クレム吸水度が２８ｍｍであり、目付が３８ｇ／ｍ2のスパンレース不織布（レーヨン入り）では、クレム吸水度が１１８ｍｍであり、目付が２３ｇ／ｍ2のポイントボンド不織布では、クレム吸水度が３６ｍｍであり、目付が２５ｇ／ｍ2のエアスルー不織布では、クレム吸水度が３ｍｍであり、目付が２０ｇ／ｍ2のスパンボンド不織布では、クレム吸水度が２ｍｍであった。したがって、上記不織布の中で、セカンドシート５０に用いるシートとして、クレム吸水度がもっとも高いスパンレース不織布（レーヨン入り）がもっとも好ましく、クレム吸水度が高いティッシュおよびポイントボンド不織布も好ましい。しかし、セカンドシート５０に用いるシートとして、クレム吸水度が低いエアスルー不織布およびスパンボンド不織布は好ましくない。クレム吸水度は、一般に不織布の密度が高いほど高くなり、レーヨンなどの吸水性繊維を含むとさらに高くなる。
【００１９】
吸収性シート６０は、吸収性ポリマー６１を２枚の液透過性シート６２，６３で挟持した複合シートである。液透過性シート６２，６３には、たとえば不織布が用いられる。なお、吸収性ポリマーを３枚以上の液透過性シートで挟持して吸収性シートを作製してもよい。吸収性ポリマーは、水を吸収するポリマーであり、たとえば、水溶性高分子が適度に架橋された三次元網目構造を有する吸収性高分子ポリマーである。このような吸収性高分子ポリマーは、水を吸収する前の体積の数百倍〜千倍の水を吸収するが本質的に水不溶性であり、一旦吸収された水は多少の圧力を加えても離水しない。吸収性ポリマーには、たとえば、デンプン系、アクリル酸系、アミノ酸系の粒子状または繊維状のポリマーが挙げられる。吸収性ポリマー６１を２枚の液透過性シート６２，６３で挟持した後、２枚の液透過性シート６２，６３を接合することで、吸収性シート６０は作製される。したがって、吸収性ポリマー６１を２枚の液透過性シート６２，６３で挟持した後、吸収性ポリマーがこぼれてしまうのを防ぐために吸収性ポリマーの粒径は、液透過性シート６２，６３の繊維間隙に比べて細かくない方が好ましい。液透過性シート６２，６３には、たとえば、スパンボンド不織布、ポイントボンド不織布、エアスルー不織布、ＳＭＳ（Spun bond-Melt blown- Spun bond）不織布などを用いることができる。液透過性シート６２，６３は、尿に対して透過性を有することが必要であるので、親水化処理がなされていることが好ましい。
【００２０】
液透過性シート６２，６３の吸収性ポリマー６１を挟持する面には、長手方向に延び、幅方向に複数並ぶ接着部８２、８３が設けられている。液透過性シート６２，６３の吸収性ポリマー６１を挟持する面には、長手方向に延び、幅方向に複数並ぶ接着部８２、８３が設けられている。なお、液透過性シート６２，６３のうちの一方の液透過性シート６２，６３の吸収性ポリマー６１を挟持する面に接着部８２、８３を設けてもよい。接着部８２、８３は、たとえば、ホットメルト接着剤を筋状に塗工することによって形成される。これにより、吸収性ポリマー６１は、液透過性シート６２，６３に固定される。接着部８２、８３が長手方向に延び、幅方向に複数並ぶのは、すなわち、接着部８２、８３が筋状であるのは、接着部８２、８３における尿の透過性はよくないため、接着部８２、８３の存在しない領域を設けるためである。したがって、接着部の存在しない領域を設けることができる塗工方法であれば、すなわち、接着部を間欠的に配置できる塗工方法であれば、筋状塗工方法に限定されず、オメガ塗工などの非接触塗工方法でもよい。接着部８２，８３は、後述の吸収性ポリマー存在領域６４に間欠的に設けられているので、吸収性ポリマー６１が吸収性ポリマー存在領域６４の中で偏るのを防止することができる。セカンドシート５０側の液透過性シート６３に設けられた接着部８３の隣接する接着部同士の間の接着部間距離は、トップシート２０側の液透過性シート６２に設けられた接着部８２の接着部間距離に比べて小さい。これにより、吸収性ポリマー６１が、セカンドシート５０側の液透過性シート６３に均等に固定される。
【００２１】
液透過性シート６２，６３に、青色などに着色された筋状の接着部８２を設けることによって、吸収性物品１に青色などの色の縞状の模様が付されるので、吸収性物品１の外観がよくなる。なお、セカンドシート５０側の液透過性シート６３における吸収性ポリマー６１を挟持する面のみに接着部８２を設けるようにしてもよい。液透過性シート６２および／または６３に接着部８２を設けることによって、吸収性ポリマー６１が膨潤する前に吸収性ポリマー６１が吸収性シート６０内を移動するのを抑制することができる。
【００２２】
吸収性シート６０は、クロッチ域１３の長手方向の中央から後ウエスト域１２にわたる、少なくとも後ウエスト域１２の一部の領域に配置されることが好ましい。これにより、着用者の排尿口が吸収性物品１に接している場合は、吸収性シート６０を透過せずに排出された尿を吸収体４０に直接吸収させることができ、着用者の排尿口が吸収性物品１に接していない場合に、吸収性シート６０に尿を吸収させることができる。
【００２３】
吸収性シート６０では、吸収性ポリマー６１は、複数の領域６４（以下、吸収性ポリマー存在領域と呼ぶ）に分けて配置され、それぞれの吸収性ポリマー存在領域６４の間に吸収性ポリマー６１が配置されていない領域（以下、吸収性ポリマー非存在領域と呼ぶ）６５を設けられている。これにより、吸収性ポリマー存在領域６４の吸収性ポリマー６１が尿を吸収して膨潤しきってしまい、尿をさらに吸収できなくなった場合でも、尿は吸収性ポリマー非存在領域６５を通過して、吸収体４０に吸収される。なお、吸収性ポリマーが膨潤しきるまで使用し続けることのない吸収性物品については、吸収性シートに吸収性ポリマー非存在領域を設ける必要はない。
【００２４】
吸収性ポリマー存在領域６４における幅方向の中央の部分は、吸収性ポリマー存在領域６４における、幅方向の中央の部分に対して幅方向外側にあるそれぞれの部分に比べて、後側に存在する。これにより、着用者の排尿口が吸収性物品１に接している場合は、排出された尿が、吸収性ポリマー存在領域６４の吸収性ポリマー６１に吸収されないで、吸収体４０に直接吸収させることができ、着用者の排尿口が吸収性物品１に接していない場合に、吸収性ポリマー存在領域６４の吸収性ポリマー６１に尿を吸収させることができる。
【００２５】
吸収性ポリマー存在領域６４の平面方向の形状は、吸収性物品１の長手方向で前ウエスト域１１から後ウエスト域１２への方向に凸であり、かつ吸収性物品１の幅方向に延びる略Ｖ字形状である。すなわち、吸収性ポリマー存在領域６４の平面方向の形状は、吸収性物品１の長手方向で前ウエスト域１１から後ウエスト域１２への方向に頂点が向いた略Ｖ字形状である。ただし、前ウエスト域１１からもっとも離れている吸収性ポリマー存在領域６４は、略Ｖ字形状または略円弧形状において幅方向の中央を切り欠いて２つの領域に分けられることによって形成される形状である。吸収性ポリマー存在領域６４の略Ｖ字形状は、着用者の臀部に沿った形状であるので、吸収性ポリマー存在領域６４は着用者の臀部にフィットし、着用者と吸収性物品１との間の隙間が生じにくくなる。なお、吸収性ポリマー非存在領域が存在すれば、吸収性ポリマー存在領域の形状は略Ｖ字形状に限定されない。たとえば、吸収性ポリマー存在領域の形状は、円弧形状、円形、矩形形状、三角形などでもよい。
【００２６】
上述したように、吸収性ポリマー６１を２枚の液透過性シート６２，６３で挟持した後、２枚の液透過性シート６２，６３を接合することで吸収性シート６０は作製される。したがって、２枚の液透過性シート６２，６３の間に吸収性ポリマー６１が挟持されている領域が吸収性ポリマー存在領域６４であり、２枚の液透過性シート６２，６３の間に吸収性ポリマー６１が挟持されておらず、２枚の液透過性シート６２，６３同士が接合されている領域が吸収性ポリマー非存在領域６５である。この２枚の液透過性シート６２，６３同士の接合には吸収性ポリマー６１の膨潤による膨張力に耐えうる強度が必要である。そうしないと、吸収性ポリマー６１の膨潤によって、２枚の液透過性シート６２，６３同士がはがれて２枚の液透過性シート６２，６３の間に隙間が生じ、その隙間に吸収性ポリマー６１が入り込んで、吸収性ポリマー非存在領域６５がなくなってしまう場合がある。この液透過性シート６２，６３同士の接合には、ヒートシール、ソニックシール、接着剤などを用いることができる。
【００２７】
ヒートシールによって液透過性シート６２，６３同士を接合する場合、ヒートシールの幅方向の線圧が一定になるほど、全体に均一なシール強度になる。このため、ヒートシールの幅方向の線圧は一定であることが好ましい。ヒートシールの幅方向の線圧を均一にするためには、シールされる領域の幅方向の長さの合計を一定にする必要がある。たとえば、上述のように、吸収性ポリマー存在領域６４を略Ｖ字形状または略円弧形状にし、長手方向に並べることによって吸収性ポリマー非存在領域６５の幅方向の長さの合計をほぼ一定にすることができる。接着剤を用いて液透過性シート６２，６３同士を接合させる場合、吸収性ポリマー６１が膨潤しているとき液透過性シート６２，６３は、湿潤状態であるので、接着剤は、湿潤時においても強度を発揮するタイプが好ましい。
【００２８】
吸収性ポリマー６１は、尿を吸収すると膨潤するので、吸収性ポリマー存在領域６４では、吸収性ポリマー６１は、２枚の液透過性シート６２，６３の間に、吸収性ポリマー６１が十分に膨潤できるだけの容積を確保していることが望ましい。２枚の液透過性シート６２，６３の間に、吸収性ポリマー６１を稠密に詰め込み過ぎてしまうと、吸収性ポリマー６１が完全には膨潤できないため、吸収性ポリマー６１の吸収能を十分に利用できない場合がある。
【００２９】
吸収性シート６０における吸収性ポリマー存在領域６４の数を多くすると、吸収性ポリマー非存在領域６５の面積は増えるが、吸収性シート６０における吸収性ポリマー６１の合計量容積が少なくなるので、吸収性シート６０が尿を吸収できる量が小さくなる。一方、吸収性シート６０における吸収性ポリマー存在領域６４の数を少なくすると、吸収性シート６０における吸収性ポリマー６１の合計量容積量が多くなり、吸収性シート６０が尿を吸収できる量が大きくなるが、吸収性ポリマー非存在領域６５の面積は小さくなり、吸収性ポリマーが膨潤したあと、尿が吸収性シート６０を透過して吸収体４０に吸収されることが起こらなくなってしまう場合がある。したがって、吸収性シート６０が吸収できる尿の量と、吸収性ポリマー６１が膨潤した後の吸収性シート６０の尿の透過性との間のバランスを考慮して、さらに吸収性ポリマー６１の種類および投入量からくる膨潤後の容積を考慮して、吸収性ポリマー存在領域６４の数を選択する必要がある。たとえば、１８０ｍｍ×１３０ｍｍの大きさの吸収性シートの場合、１ｇ当たり生理食塩水を６０ｇ吸収する吸収性ポリマー２ｇを、５つの吸収性ポリマー存在領域に分けて配置することによって、尿の吸収性と、吸収性ポリマーが膨潤した後の尿透過性との間のバランスが良好な吸収性シートを得ることができる。
【００３０】
漏れ防止カフ７０は、排泄された尿が吸収性物品１の幅方向の位置から外部へ漏れるのを防止する。吸収性物品１の幅方向両側部には、長手方向に延びる漏れ防止カフ７０が配置されている。漏れ防止カフ７０には、ＳＭＳ不織布などの疎水性の不織布が用いられる。ＳＭＳ不織布に代えて、防水フィルムなどの防漏性材料を用いることもできる。漏れ防止カフ７０は、吸収性物品１の幅方向側部においてトップシート２０またはバックシート３０と接着剤を用いて接合され、基端部７４と、自由端部７５とを有する。基端部７４は、吸収性物品１の幅方向側部と接合している。接着剤に換えて、ヒートシールで固定することもできる。また、基端部７４は、吸収性物品１の側縁やバックシート表面に位置させることもできる。自由端部７５は、基端部７４に対して、吸収性物品１の幅方向の内側に位置している。漏れ防止カフ７０の自由端部７５の近傍には、長手方向に延びるとともに伸長状態で取り付けられた弾性体７２が設けられている。また、漏れ防止カフ７０の長手方向の端側の領域７３が、トップシート２０と、接着剤を用いて接合されている。弾性体７２の収縮力が発現すると、漏れ防止カフ７０の長手方向の端側の領域７３を除く漏れ防止カフ７０の自由端部７５が、トップシート２０から起立して、排泄された尿が吸収性物品１の幅方向の位置から漏れるのを防止する。漏れ防止カフ７０は、吸収性物品１の全長にわたって配置されている必要はなく、少なくともクロッチ域１３から後ウエスト域１２にわたって配置されていればよい。
【００３１】
図１に示したように、弾性体７２が収縮していない状態、すなわち漏れ防止カフ７０を伸長させた状態では、吸収性シート６０のそれぞれの幅方向縁部６６は、漏れ防止カフ７０のそれぞれの自由端部７５よりも幅方向外側にある。着用者が吸収性物品１を装着すると、漏れ防止カフ７０はトップシート２０上に倒れるので、吸収性シート６０の幅方向の両縁部６６の幅方向外側は漏れ防止カフ７０に覆われる。液透過性が低い漏れ防止カフ７０があるので、吸収体４０から尿がしみ出してきたとしても、肌に接するのを防ぐことができる。吸収性シート６０と漏れ防止カフ７０とが重なっている領域では、吸収性シート６０から尿が染み出してきたとしても、漏れ防止カフ７０が肌に接するのを防ぐことができる。とくに、漏れ防止カフ７０の長手方向の端側の領域７３では、漏れ防止カフ７０はトップシート２０またはバックシート３０と、接着剤を用いて接着されているので、吸収性シート６０の両縁部６６と漏れ防止カフ７０とが確実に重なるように固定できる。また、これにより、後述の吸収性シート６０の体圧によって吸収体４０からしみ出した尿が着用者の肌に届かないようにする効果および着用者の肌を伝わって拡散した尿を吸収する効果が大きくなる。
【００３２】
次に図を参照して、本発明の一実施形態における吸収性物品１の排泄された尿の吸収について説明する。
【００３３】
着用者の排尿口が吸収性物品１に接している場合、図５に示すように、排泄された尿は、クロッチ域１３の吸収性シート６０が配置されていない部分からトップシート２０およびセカンドシート５０を通過し（矢印２１０）、吸収体４０に到達する。吸収体４０に到達した尿は吸収体４０のセカンドシート５０側の面から吸収される。吸収体４０の貫通部４１に到達した一部の尿（矢印２１０）は、貫通部４１の側壁から吸収され（矢印２２０）、吸収体４０の圧搾溝４２に到達した一部の尿は、圧搾溝４２の側壁から吸収される。貫通部４１および／または圧搾溝４２を吸収体４０に設けることによって、排泄された尿が長手方向へ移動しやすくなるので、排泄された尿の吸収体４０への拡散が速くなる。また、排泄された尿の一部は、トップシート２０を通過した後、セカンドシート５０内を拡散し（矢印２３０）、吸収体４０に吸収される。排泄された尿がセカンドシート５０を拡散することによって、排泄された尿は吸収体４０のセカンドシート５０側の面に大きく広がる。これにより排泄された尿を吸収する、吸収体４０の面の面積が増えるので、排泄された尿の吸収体４０への拡散が速くなる。
【００３４】
セカンドシート５０は、吸収性シート６０の着用者側の反対側に配置されているので、セカンドシート５０を拡散した尿は、吸収性シート６０によって着用者の肌側に到達しにくくなる。なぜならば、着用者が仰向けに寝て、着用者の臀部から吸収性物品１の後ウエスト域１２に体圧が加えられた場合、吸収体４０に吸収された尿はしみ出すが、しみ出した尿は吸収性シート６０によって着用者の肌側に到達しにくくなるからである。一方、クロッチ域１３における吸収性シート６０が配置されていない領域および前ウエスト域１１では、吸収性物品１に対して圧力が加えられることがあまりないので、セカンドシート５０に拡散した尿が着用者の肌に到達したり、吸収体４０に吸収された尿が吸収体４０からしみ出したりすることは少ない。したがって、尿が排泄された後も着用者の臀部付近の肌はサラッとしており、排泄された尿による着用者の肌のかぶれを抑制することができる。
【００３５】
着用者の排尿口が吸収性物品１に接していない場合、たとえば、着用者が仰向けに寝ている場合、図６に示すように、排泄された尿は、着用者の肌を伝わって、クロッチ域１３および／または後ウエスト域１２における吸収性シート６０が配置されている部分のトップシート２０に到達する（矢印２４０）。トップシート２０に到達した尿は、吸収性シート６０によって吸収される。また、上述したように、吸収性ポリマーは一旦吸収された水は多少の圧力を加えても離水しない性質を有するので、着用者が仰向けに寝て、着用者の臀部から吸収性物品１の後ウエスト域１２に体圧が加えられた場合でも、吸収性シート６０に吸収された尿は体圧によって吸収性シート６０からしみ出すことは少ない。したがって、尿が排泄された後も着用者の肌はサラッとしており、排泄された尿による着用者の肌のかぶれを抑制することができる。
【００３６】
以上の一実施形態による吸収性物品１を次のように変形することができる。
（１）以上の一実施形態の吸収性物品１では、吸収体４０の幅方向の中央の位置で、前ウエスト域１１からクロッチ域１３にかけて長さ方向に延びている貫通部４１を吸収体４０に設けたが、貫通部４１の代わりに、吸収体４０のトップシート２０側の面から凹んで、吸収体４０が薄くなっている溝部を設けてもよい。
【００３７】
（２）以上の一実施形態の吸収性物品１では、吸収性物品１に配置されている吸収体４０は１つであった。しかし、２つ以上の吸収体を吸収性物品に配置してもよい。たとえば、吸収体４０の代わりに、２つの吸収体を厚さ方向に重ねたものを吸収性物品に配置してもよい。また、この場合、２つの吸収体のうち、セカンドシート側の吸収体のみに、またはトップシート側の吸収体のみに貫通部または溝部を設けるようにしてもよい。
【００３８】
（３）吸収体の貫通部または溝部は、吸収体の吸収性シート６０が配置されている領域内まで、長手方向に延びるようにしてもよい。これにより、排泄された尿が、吸収性シート６０の下側に早く移動できるので、吸収体４０に吸収された尿のより多くが、吸収性シート６０によって着用者の肌側に到達しにくくなる。
【００３９】
（４）吸収性シート６０における吸収性ポリマー６１を挟持する２枚の液透過性シート６２，６３のうちのセカンドシート５０側の液透過性シート６３の浸透性が、セカンドシート５０の浸透性よりも小さくするようにしてもよい。これにより、着用者が仰向けに寝て、着用者の臀部から吸収性物品１の後ウエスト域１２に体圧が加えられた場合、吸収体４０からしみ出た尿は、吸収性シート６０の液透過性シート６３によって吸収性シート６０を通過しづらくなり、着用者の肌に到達しにくくなる。吸収性シート６０のセカンドシート５０側の液透過性シート６３には、たとえば、親水性のＳＭＳ不織布を用いることができる。ＳＭＳ不織布は、２層のスパンボンド層の間にスプレーを吹き付けられて形成されたメルトブローン層を有しているため、繊維間の隙間が少なく、液体が浸透しにくいので、吸収性シート６０のセカンドシート５０側の液透過性シート６３に適している。また、ＳＭＳ不織布の他に、不織布を作製するときに添加する油剤の量を、通常の５０〜６０％と少なくし、親水性のスパンボンド不織布の親水度を下げたものを使用してもよい。また、高目付（たとえば、２５〜３５ｇ／ｍ2の目付）のスパンボンド不織布またはポイントボンド不織布を使用してもよい。不織布は、目付が高いほど繊維間の隙間が小さくなり、浸透性が小さくなる。
【００４０】
液透過性シートの浸透性は、たとえば、図７に示すような浸透性評価装置３００を用いて評価することができる。浸透性評価装置３００による浸透性の評価は以下のようにして行う。
（ｉ）１０°の傾きを有する試料台３１０の上に、液透過性シート３２０を置く。試料台３１０の液透過性シート３２０を置く面には、直径６５ｍｍの円形の穴３１１が設けられている。
（ｉｉ）直径が５ｍｍのチューブ３３０を使用して、８０ｍｍの高さから２５ｍｌの人工尿３４０を３．７５秒間かけて滴下する。滴下した人工尿３４０は、液透過性シート３２０を透過して、試料台３１０の穴３１１を通過して回収皿３５０に入る。
（ｉｉｉ）回収皿３５０に入った人工尿の重さを測定する。
（ｉｖ）以下の式から浸透率を算出する。
浸透率（％）＝回収皿に入った人工尿の重さ（ｇ）／２５（ｇ）×１００
浸透率の高い液透過性シートは浸透性が高く、浸透率の低い液透過性シートは浸透性が低い。
【００４１】
上述の浸透性評価装置３００による浸透性の評価結果を表１に示す。
【表１】
0005679777.tif 000002
この結果より、目付が１５ｇ／ｍ2のティッシュをセカンドシート５０に用いた場合、セカンドシート５０側の液透過性シート６３には、目付が１０ｇ／ｍ2の親水性のＳＭＳ不織布、目付が２３ｇ／ｍ2の親水性のポイントボンド不織布または目付が３８ｇ／ｍ2のスパンレース不織布が適することがわかる。また、目付が３８ｇ／ｍ2のスパンレース不織布をセカンドシート５０に用いた場合、セカンドシート５０側の液透過性シート６３には、目付が２３ｇ／ｍ2の親水性のポイントボンド不織布が適することがわかる。
【００４２】
（５）吸収性シート６０の液透過性シート６２，６３に、着色された筋状の接着部８２を設ける場合、吸収性シート６０の幅方向中央で、接着剤の塗工を少なくしてもよい。たとえば、吸収性シート６０の幅方向中央で、接着剤の塗工をしないようにしてもよい。着色された接着部８２が設けられていない領域を着目することによって、吸収性物品の幅方向の中央（センターライン）がわかりやすくなる。
【００４３】
（６）図８に示す吸収性物品１Ａのように、吸収性シート６０Ａの幅方向の中央の領域６８Ａの両側にある幅方向の外側の領域６７Ａが、吸収性シート６０Ａの幅方向の中央の領域６８Ａよりも前ウエスト域１１側に延出するようにしてもよい。この場合、吸収性シート６０Ａの幅方向の中央の領域６８Ａよりも延出させた領域６７Ａに吸収性ポリマー存在領域を配置する。これにより、吸収性シート６０Ａの幅方向の中央の領域６８Ａよりも延出させた領域６７Ａにおいても尿を吸収させることができる。着用者の排尿口が吸収性物品１に接している場合、排泄された尿は、できるだけ吸収体４０によって吸収されることが好ましい。したがって、着用者の排尿口が吸収性物品１に接している場合に排泄された尿がトップシート上を流れて、直接的に吸収性シート６０によってあまり吸収されないようにするため、吸収性シート６０は、着用者の排尿口が吸収性物品１に接するポイントから、ある程度離れていることが好ましい。一方、着用者の体圧により吸収体４０からしみ出した尿が着用者の肌に到達しないようにするためには、吸収性シート６０の面積は広い方が好ましい。図８に示す吸収性物品１Ａのように、吸収性シート６０Ａの幅方向の両端側の領域６７Ａが、吸収性シート６０Ａの幅方向の中央の領域６８Ａよりも前ウエスト域１１側に延出するようにすることによって、着用者の排尿口が吸収性物品１に接するポイント２１Ａと吸収性シート６０Ａとの間の距離を保ちつつ吸収性シート６０Ａの面積を広くすることができる。
【００４４】
本発明は尿取りパッドに限定されない。本発明は、たとえば、使い捨ておむつ、排泄トレーニングパンツ、失禁ブリーフなどの吸収性物品であってもよい。
【００４５】
実施形態と変形例の一つ、もしくは複数を組み合わせることも可能である。変形例同士をどのように組み合わせることも可能である。
【００４６】
以上の説明はあくまで一例であり、発明は、上記の実施形態に何ら限定されるものではない。
【実施例】
【００４７】
以下、実施例を参照して、本発明をさらに詳細に説明する。なお、下記の実施例は本発明を限定するものではない。
【００４８】
着用者の排尿口が吸収性物品に接している場合および着用者の排尿口が吸収性物品に接していない場合において、排泄された尿が吸収性物品からしみ出して、着用者の臀部が濡れてしまう（リウエット）ことがないことを、以下の試料および試験方法で確認した。
【００４９】
試料
以下の構成要素を有する吸収性物品を用いて、リウエット試験をおこなった。
トップシート：目付が２０ｇ／ｍ2の親水性のスパンボンド不織布。
吸収体：目付が２２０ｇ／ｍ2のパルプと目付が８２ｇ／ｍ2の吸収性ポリマーとを有する上層吸収体を目付が１８０ｇ／ｍ2のパルプと目付が３３ｇ／ｍ2の吸収性ポリマーとを有する下層吸収体の上に重ねたもの（保水量：４５０ｇ）。
吸収性シート：２ｇの吸収性ポリマーを目付が２０ｇ／ｍ2の親水性のスパンボンド不織布ではさんで接合したもの。
セカンドシート：目付が１５ｇ／ｍ2のティッシュ。
【００５０】
試験方法
吸収性物品に５分ごとに人工尿を８０ｍｌ投入する。これを５回行う。したがって、４００ｍｌの人工尿が投入されることになる。人工尿とは、イオン交換水１０リットルに、尿素２００ｇ、塩化ナトリウム８０ｇ、硫酸マグネシウム８０ｇ、塩化カルシウム８ｇおよび色素：青色１号約１ｇを溶解させた水溶液である。４００ｍｌの人工尿を投入してから５分経過後、リウエット測定位置に７０ｇろ紙（１００ｍｍ×１００ｍｍ）を載せ、その上に底面の大きさが１００ｍｍ×１００ｍｍである３．５ｋｇの重りを載せ、吸収性物品からしみ出る人工尿をろ紙に吸収させる。そして、人工尿を吸収させたろ紙の重さから人工尿を吸収させる前のろ紙の重さを引き算し、しみ出した人工尿の量、すなわち、リウエット量を算出する。吸収性シートを取り除いたものについても同様の試験を行う。リウエット量が少ないほど、排泄された尿が吸収性物品１からしみ出して、着用者の臀部が濡れてしまうことが少ない。
【００５１】
結果
着用者の排尿口が吸収性物品に接する位置に人工尿を投入したときの吸収性シートが配置されている部分のリウエット量は０．１ｇであった。吸収性物品から吸収性シートを除いて同じ試験を行うと、リウエット量は１．０ｇに増えた。これより、吸収性シートを配置することによって、着用者の排尿口が吸収性物品に接している場合に排泄された尿が吸収性物品からしみ出して着用者の臀部が濡れるのを改善できることを確認できた。
【００５２】
着用者の排尿口が吸収性物品に接していない場合に、排泄された尿が着用者の肌を伝わって浸入する領域のトップシート、すなわち、吸収性シートが配置されている領域のトップシートに人工尿を投入したときの吸収性シートが配置されている部分のリウエット量は３９ｇであった。同じ吸収性物品から吸収性シートを除いて同じ試験を行うと、吸収体から人工尿がしみ出し、リウエット量が７２ｇに増えた。これより、吸収性シートを配置することによって、着用者の排尿口が吸収性物品１に接していない場合に排泄された尿が吸収性物品に吸収され、その後、吸収性物品からしみ出して着用者の臀部が濡れるのを改善できることを確認できた。
【符号の説明】
【００５３】
１，１Ａ    吸収性物
２０    トップシート
３０    バックシート
４０    吸収体
４１    貫通部
４２    圧搾溝
５０    セカンドシート
６０，６０Ａ    吸収性シート
６１    吸収性ポリマー
６２，６３    液透過性シート
６４    吸収性ポリマー存在領域
６５    吸収性ポリマー非存在領域
６６    縁部
７０    漏れ防止カフ
７１    縁部
７２    弾性体
３００    浸透性評価装置
【図１】
0005679777.tif 000003
【図２】
0005679777.tif 000004
【図３】
0005679777.tif 000005
【図４】
0005679777.tif 000006
【図５】
0005679777.tif 000007
【図６】
0005679777.tif 000008
【図７】
0005679777.tif 000009
【図８】
0005679777.tif 000010